(57)【要約】    【課題】インピーダンスアッパー回路、過電流検出回路、検出電流送出回路およびＯＮ／ＯＦＦ回路を1つの回路に集約させる。    【解決手段】本発明のインターホン装置は、玄関子機１に２線ケーブルＬを介して接続されるドアホン親機２を備えている。  ドアホン親機２は、通話時に２線ケーブルＬに電源および通話信号を重畳して伝送するために電源から２線ケーブルＬに至るインピーダンスを通話信号に対して高インピーダンスに増大するとともに電源に対して低インピーダンスとなるインピーダンスアッパー回路２３ｃと、２線ケーブルＬが誤って短絡したときに流れる過電流を検出する過電流検出回路２３ｂとを備えており、インピーダンスアッパー回路２３ｃを構成する制御抵抗は過電流検出回路２３ｂを構成する検出抵抗の共通抵抗Ｒ５として使用される。    【選択図】図２
2006135625.tif 000002
【特許請求の範囲】
【請求項１】
玄関子機（１）とドアホン親機（２）間を２線ケーブル（Ｌ）で接続し、前記玄関子機において訪問者の呼出ボタン（１２）の操作に応じて前記玄関子機の子機送受話装置（１３）と前記ドアホン親機の親機送受話装置（２７）間で通話するインターホン装置であって、
前記ドアホン親機は、通話時に前記２線ケーブルに電源および通話信号を重畳して伝送するために前記電源から前記２線ケーブルに至るインピーダンスを前記通話信号に対して高インピーダンスに増大するとともに前記電源に対して低インピーダンスとなるインピーダンスアッパー回路（２３ｃ）の制御抵抗として、かつ前記２線ケーブルが誤って短絡したときに流れる過電流を検出する過電流検出回路（２３ｂ）の検出抵抗として共通抵抗（Ｒ５）を使用することを特徴とするインターホン装置。
【請求項２】
前記２線ケーブルに、待受時に前記玄関子機からの呼出を検出するために必要な電流を前記ドアホン親機から前記玄関子機へ供給する検出電流送出回路（２３ａ）として抵抗（Ｒ１）を接続したことを特徴とする請求項１記載のインターホン装置。
【請求項３】
前記検出電流送出回路と前記電源間に、待受時と通話時の状態遷移に応じて前記玄関子機への電源供給をそれぞれＯＮ／ＯＦＦさせるためのＯＮ／ＯＦＦ回路（２３ｄ）としてトランジスタ（ＴＲ３）を接続したことを特徴とする請求項２記載のインターホン装置。
【発明の詳細な説明】
【技術分野】
【０００１】
本発明はインターホン装置に係わり、特にインピーダンスアッパー回路、検出電流送出回路、過電流検出回路およびＯＮ／ＯＦＦ回路を備えたインターホン装置に関する。
【背景技術】
【０００２】
従来から、この種のインターホン装置として、住宅の居室内に設置されるドアホン親機と、ドアホン親機に伝送路を介して接続され住宅の玄関に設置される玄関子機とを備え、玄関子機の呼出ボタンの操作によりドアホン親機の呼出検出回路で呼出を検出しリレーでの切り替えにより玄関子機の子機送受話装置とドアホン親機の親機送受話装置間で通話を行なうものが知られている（例えば、特許文献１参照）。
【０００３】
ここで、ドアホン親機は、待受時および呼出の検出時に呼出検出系電圧を呼出検出回路およびリレーを介して玄関子機へ供給する呼出検出系電源供給回路と、通話時に呼出検出系電圧とは異なる通話系電圧を通話回路およびリレーを介して玄関子機へ供給する通話系電源供給回路とを備え、玄関子機は、ドアホン親機から供給される電圧を検出する電圧検出回路と、電圧検出回路で通話系電源供給回路からの通話系電圧が検出されたとき通話回路に電源を供給する電源供給回路とを備えている。
【０００４】
このようなインターホン装置によれば、玄関子機の通話回路にドアホン親機と玄関子機の通話時においてのみ電源を供給することを可能とし、電源の消費を必要最小限とすることができ、省エネルギーを図ることができる。
【０００５】
ところで、このような構成のインターホン装置においては、通話時に２線ケーブルに電源および通話信号を重畳して伝送するために電源から２線ケーブルに至るインピーダンスを通話信号に対して高インピーダンスに増大するとともに電源に対して低インピーダンスとなるインピーダンスアッパー回路が搭載されており、さらに、インターホン装置の周辺回路として、２線ケーブルが誤って短絡したときに流れる過電流を検出する過電流検出回路と、待受時に玄関子機からの呼出を検出するために必要な電流をドアホン親機から玄関子機へ供給する検出電流送出回路と、検出電流送出回路と電源間に、待受時と通話時の状態遷移に応じて玄関子機への電源供給をそれぞれＯＮ／ＯＦＦさせるためのＯＮ／ＯＦＦ回路とがそれぞれ独立した機能を有する回路として搭載されている。
【０００６】
このように、従来のインターホン装置においては、インピーダンスアッパー回路、過電流検出回路、検出電流送出回路およびＯＮ／ＯＦＦ回路の４つの回路がそれぞれ独立した機能を有するものとして搭載されているため、回路構成が複雑になり、また、部品点数が増大し、コストアップになってしまうという難点があった。
【０００７】
【特許文献１】特開２００１−２１１２６２号公報  （段落番号「００１１」、「００１２」、図１）
【発明の開示】
【発明が解決しようとする課題】
【０００８】
本発明は、上述の難点を解消するためになされたもので、それぞれ独立した機能を有するものとして搭載されているインピーダンスアッパー回路、過電流検出回路、検出電流送出回路およびＯＮ／ＯＦＦ回路を1つの回路に集約することで、回路構成を簡素化することができるインターホン装置を提供することを目的としている。
【課題を解決するための手段】
【０００９】
上述の目的を達成するため、本発明の第１の態様であるインターホン装置は、玄関子機とドアホン親機間を２線ケーブルで接続し、玄関子機において訪問者の呼出ボタンの操作に応じて玄関子機の子機送受話装置とドアホン親機の親機送受話装置間で通話するインターホン装置であって、ドアホン親機は、通話時に２線ケーブルに電源および通話信号を重畳して伝送するために電源から２線ケーブルに至るインピーダンスを通話信号に対して高インピーダンスに増大するとともに電源に対して低インピーダンスとなるインピーダンスアッパー回路の制御抵抗として、かつ２線ケーブルが誤って短絡したときに流れる過電流を検出する過電流検出回路の検出抵抗として共通抵抗を使用するものである。
【００１０】
本発明の第２の態様は、第１の態様であるインターホン装置において、２線ケーブルに、待受時に玄関子機からの呼出を検出するために必要な電流をドアホン親機から玄関子機へ供給する検出電流送出回路として抵抗を接続したものである。
【００１１】
本発明の第３の態様は、第２の態様であるインターホン装置において、検出電流送出回路と電源間に、待受時と通話時の状態遷移に応じて玄関子機への電源供給をそれぞれＯＮ／ＯＦＦさせるためのＯＮ／ＯＦＦ回路としてトランジスタを接続したものである。
【発明の効果】
【００１２】
本発明の第１の態様乃至第３の態様のインターホン装置によれば、それぞれ独立した機能を有するものとして動作するインピーダンスアッパー回路、過電流検出回路、検出電流送出回路およびＯＮ／ＯＦＦ回路を1つの回路に集約することで、ドアホン親機の回路構成を簡素化することができ、ひいては部品点数の削減を図り、コストダウンを図ることができる。
【発明を実施するための最良の形態】
【００１３】
以下、本発明のインターホン装置を適用した好ましい実施の形態例について、図面を参照して詳述する。
【００１４】
図１は、本発明の一実施例におけるインターホン装置のブロック図である。
【００１５】
図１において、本発明のテレビインターホン装置は、住宅の玄関に設置される玄関子機１と、住宅の居室内に設置されるドアホン親機２とを備えており、玄関子機１は第１、第２のケーブルから成る２線ケーブルＬを介してドアホン親機２に接続されている。
【００１６】
玄関子機１は、訪問者を撮像するためのカメラ１１と、ドアホン親機２を呼び出すための呼出ボタン１２と、玄関子機１からドアホン親機２へ音声を伝える子機マイク１３ａおよびドアホン親機２からの音声を玄関子機１へ伝える子機スピーカ１３ｂで構成される子機送受話装置１３とを備えている。
【００１７】
ドアホン親機２は、玄関子機１と接続するためのインターフェース（以下「Ｉ／Ｆ」という。）回路２１と、玄関子機１からの呼出を検出する呼出検出回路２２と、待受時に玄関子機１からの呼出を検出するために必要な電流をドアホン親機２から玄関子機１へ供給する検出電流送出回路２３ａ、２線ケーブルＬが誤って短絡したときに流れる過電流を検出する過電流検出回路２３ｂ、通話時に２線ケーブルＬに電源および通話信号を重畳して伝送するために電源から２線ケーブルＬに至るインピーダンスを通話信号に対して高インピーダンス（例えば６００Ω程度）に増大するとともに電源に対して低インピーダンス（例えば０Ω程度）となるインピーダンスアッパー回路２３ｃおよび検出電流送出回路２３ａと電源間に、待受時と通話時の状態遷移に応じて玄関子機１への電源供給をそれぞれＯＮ／ＯＦＦさせるためのＯＮ／ＯＦＦ回路２３ｄを集約する集約回路２３と、玄関子機１から送出されるＦＭ映像信号を復調する復調回路２４と、カメラ１１で撮像した映像を出画させるＬＣＤ２５と、通話回路２６と、ドアホン親機２から玄関子機１へ音声を伝える親機マイク２７ａおよび玄関子機１からの音声をドアホン親機２へ伝える親機スピーカ２７ｂで構成される親機送受話装置２７と、各部（回路）へ電源を供給する電源回路２８と、各部（回路）を制御する制御回路２９と、訪問者の呼出ボタン１２の操作に応じて呼出音を報音させる拡声スピーカ３０とを備えている。ここで、制御回路２９は、呼出検出回路２２、集約回路２３、通話回路２６、電源回路２８および拡声スピーカ３０に接続されている。また、Ｉ／Ｆ回路２１は、２線ケーブルＬ、呼出検出回路２２、集約回路２３、復調回路２４および通話回路２６に接続され、復調回路２４にはＬＣＤ２５が、通話回路２６には親機送受話装置２７としての親機マイク２７ａおよび親機スピーカ２７ｂがそれぞれ接続されている。
【００１８】
集約回路２３は、図２に示すように、第１〜第４のトランジスタＴＲ１〜ＴＲ４と、第１〜第９の抵抗Ｒ１〜Ｒ９と、第１、第２のコンデンサＣ１、Ｃ２とを備えている。ここで、第１の抵抗Ｒ１の一方側は、第１のトランジスタＴＲ１のコレクタおよびＩ／Ｆ回路２１を介して２線ケーブルＬを構成する一方のケーブルに接続され、他方側は第３の抵抗Ｒ３の一方側、第３のトランジスタＴＲ３のコレクタおよび一方側が接地された第４の抵抗Ｒ４の他方側に接続されている。また、第１のトランジスタＴＲ１のエミッタは、第５、第７の抵抗Ｒ５、Ｒ７の一方側に接続され、ベースは、第６の抵抗Ｒ６の一方側、第１のコンデンサＣ１の一方側および第２のトランジスタＴＲ２のエミッタに接続されている。さらに、第２のトランジスタＴＲ２のコレクタは、第２の抵抗Ｒ２を介して接地され、ベースは、第２のコンデンサＣ２の一方側および第３の抵抗Ｒ３の他方側に接続されている。なお、２線ケーブルＬを構成する第２のケーブルは接地されている。
【００１９】
一方、第４のトランジスタＴＲ４のエミッタは、第５、第６の抵抗Ｒ５、Ｒ６の他方側、第１、第２のコンデンサＣ１、Ｃ２の他方側、第３のトランジスタＴＲ３のエミッタ、第８の抵抗Ｒ８の一方側および電源回路２８に接続され、コレクタは制御回路２９に接続され、ベースは第７の抵抗Ｒ７の他方側に接続されている。また、第３のトランジスタＴＲ３のベースは、第８の抵抗Ｒ８の他方側および第９の抵抗Ｒ９を介して制御回路２９に接続されている。なお、以下の説明においては、第４のトランジスタＴＲ４のエミッタ、第５、第６の抵抗Ｒ５、Ｒ６の他方側、第１、第２のコンデンサＣ１、Ｃ２の他方側、第３のトランジスタＴＲ３のエミッタおよび第８の抵抗Ｒ８の一方側の各接続点を第１の接続点Ａとして、第１の抵抗Ｒ１の他方側、第３の抵抗Ｒ３の一方側、第４の抵抗Ｒ４の他方側および第３のトランジスタＴＲ３のコレクタの各接続点を第２の接続点Ｂとして説明する。
【００２０】
次に、このように構成された本発明のインターホン装置の動作について説明する。
【００２１】
先ず、第１〜第４のトランジスタＴＲ１〜ＴＲ４、第１〜第９の抵抗Ｒ１〜Ｒ９および第１、第２のコンデンサＣ１、Ｃ２が図２に示すように接続されることで、第１の抵抗Ｒ１は後述するように検出電流送出回路２３ａとしての機能を、第４のトランジスタＴＲ４および第５、第７の抵抗Ｒ５、Ｒ７は後述するように過電流検出回路２３ｂとしての機能を、ダーリントン接続された第１、第２のトランジスタＴＲ１、ＴＲ２、第２〜第６の抵抗Ｒ２〜Ｒ６および第１、第２のコンデンサＣ１、Ｃ２は後述するようにインピーダンスアッパー回路２３ｃとしての機能を、第３のトランジスタＴＲ３および第８、第９の抵抗Ｒ８、Ｒ９は後述するようにＯＮ／ＯＦＦ回路２３ｄとしての機能を有することになる。ここで、第５の抵抗Ｒ５は、後述するように、過電流検出回路２３ｂの検出抵抗やインピーダンスアッパー回路２３ｃの制御抵抗として共通に使用されることから、以下の説明においては、共通抵抗Ｒ５として説明する。なお、検出電流送出回路２３ａとしての第１の抵抗Ｒ１としては通常２.２ｋΩ程度の抵抗が使用され、３ｍＡ程度の電流が供給されるように構成され、また、インピーダンスアッパー回路２３ｃとしての第１のトランジスタＴＲ１および共通抵抗Ｒ５は玄関子機１に大電流を供給するため、大電流に耐えられる大型の部品が使用される。
【００２２】
このような構成のインターホン装置において、待受時には、制御回路２９の制御により、第３のトランジスタＴＲ３のベース電位が第１の接続点Ａの電位（１６Ｖ程度）よりも低いレベルの電位（０〜５Ｖ程度）に設定され、かかる第３のトランジスタＴＲ３のベースが低レベルの電位に設定されると、第３のトランジスタＴＲ３がＯＮすることになり、これにより第２のトランジスタＴＲ２のベース電位が第３のトランジスタＴＲ３を介して第１の接続点Ａと略同電位になる。そうすると、第２のトランジスタＴＲ２がＯＦＦし、第１のトランジスタＴＲ１にベース電流が流れないため第１のトランジスタＴＲ１もＯＦＦすることになる。従って、この状態においては、第１のトランジスタＴＲ１がＯＦＦしているので、電源回路２８からは第１のトランジスタＴＲ１を経由して玄関子機１を動作させるための電源が供給されないことになる。
【００２３】
一方、第２の接続点Ｂの電位は第３のトランジスタＴＲ３を介して第１の接続点Ａと略同電位になっているため、電源回路２８から、第１の接続点Ａ、第３のトランジスタＴＲ３、第２の接続点Ｂおよび検出電流送出回路２３ａとしての第１の抵抗Ｒ１を経由して玄関子機１からの呼び出しを検出するために必要な電流（電源）が供給される。ここで、玄関子機１は待受時においては、殆ど電流を消費しないため、第１の抵抗Ｒ１による電圧降下はなく、検出電流送出回路２３ａを介して電源が供給されていても、２線ケーブルＬを構成する第１、第２のケーブル間の直流電圧は高レベルとなっている。
【００２４】
このような状態において、訪問者が玄関子機１の呼出ボタン１２を押下操作すると、玄関子機１が動作を開始し、電流消費が増加することにより、２線ケーブルＬを構成する第１、第２のケーブル間の直流電圧が第１の抵抗Ｒ１による電圧降下で低下し、低レベルとなる。
【００２５】
かかる低レベルの電圧が呼出検出回路２２を介して制御回路２９で検出されると、制御回路２９の制御により拡声スピーカ３０から呼出音が報音される。また、これと共に、制御回路２９の制御により、第３のトランジスタＴＲ３のベース電位が第１の接続点Ａの電位と同じレベルの電位（１６Ｖ程度）に設定され、かかる第３のトランジスタＴＲ３のベースが高レベルの電位に設定されると、第３のトランジスタＴＲ３がＯＦＦすることになる。これにより第２のトランジスタＴＲ２のベース電位が動作時の電位になることにより、第２のトランジスタＴＲ２がＯＮし、また、第１のトランジスタＴＲ１のベースに電流が流れることにより、第１のトランジスタＴＲ１がＯＮし、第１のトランジスタＴＲ１が電源供給回路として動作を開始することになる。従って、この状態においては、電源回路２８から、第１の接続点Ａ、共通抵抗Ｒ５、第１のトランジスタＴＲ１，Ｉ／Ｆ回路２１および２線ケーブルＬを経由して玄関子機１に対して動作電源が供給されることになる。
【００２６】
これにより、カメラ１１によって訪問者の映像が撮像され、撮像された映像は変調回路（不図示）を介してＦＭ変調されたＦＭ映像信号として、２線ケーブルＬおよびＩ／Ｆ回路２１を経由して復調回路２４へ送出される。かかるＦＭ映像信号は、復調回路２４において復調されてＬＣＤ２５へ送出され、これにより、ＬＣＤ２５に訪問者の映像が出画される。
【００２７】
ここで、居住者が拡声スピーカ３０から報音される呼出音およびＬＣＤ２５に出画される映像に基づいて訪問者を確認し、親機送受話装置２７を取り上げて呼出応答すると、親機送受話装置２７の有する通話機能（親機マイク２７ａおよび親機スピーカ２７ｂ）と子機送受話装置１３の有する通話機能（子機マイク１３ａおよび子機スピーカ１３ｂ）との間に２線ケーブルＬを介して通話路が形成される。これにより、居住者は訪問者と通話することができる。なお、居住者が訪問者との通話を終了させるために親機送受話装置２７をドアホン親機２に戻すと、ドアホン親機２が待受状態に移行する。
【００２８】
次に、過電流検出回路２３ｂの動作について説明する。先ず、第３のトランジスタＴＲ３がＯＦＦし、第１のトランジスタＴＲ１が電源供給回路として動作を開始している場合においてインターホン装置の施工時における配線の不備により２線ケーブルＬを構成する第１、第２のケーブル間が短絡すると、過電流が第１のトランジスタＴＲ１および共通抵抗（第５の抵抗）Ｒ５に流れる。ここで、共通抵抗Ｒ５の抵抗値が例えば１Ωとすると、例えば０．６Ａ程度の過電流により共通抵抗Ｒ５の両端に０．６Ｖ程度の電圧が発生し、当該電圧が第４のトランジスタＴＲ４のベース・エミッタ間に印加され、これにより、第４のトランジスタＴＲ４がＯＮすることになる。
【００２９】
そして、ＯＮ／ＯＦＦ回路２３ｄとしての第４のトランジスタＴＲ４がＯＮすると、ＯＮ／ＯＦＦ回路２３ｄから過電流検出信号が制御回路２９へ送出され、かかる過電流検出信号が制御回路２９で検出されると、制御回路２９の制御により第３のトランジスタＴＲ３のベース電位が前述と同様に０〜５Ｖ程度の低レベルの電位に設定される。そして、第３のトランジスタＴＲ３のベース電位が低レベルの電位に設定されると、前述と同様に、第１のトランジスタＴＲ１がＯＦＦすることから、前述と同様に電源回路２８から第１のトランジスタＴＲ１を経由しての玄関子機１への電源供給が停止されることになる。
【図面の簡単な説明】
【００３０】
【図１】本発明の一実施例におけるインターホン装置のブロック図。
【図２】本発明のインターホン装置における集約回路の構成図。
【符号の説明】
【００３１】
１・・・玄関子機
１２・・・呼出ボタン
１３・・・子機送受話装置
２・・・ドアホン親機
２３ａ・・・検出電流送出回路
２３ｂ・・・過電流検出回路
２３ｃ・・・インピーダンスアッパー回路
２３ｄ・・・ＯＮ／ＯＦＦ回路
２７・・・親機送受話装置
ＴＲ３・・・トランジスタ（第３のトランジスタ）
Ｒ１・・・抵抗（第１の抵抗）
Ｒ５・・・共通抵抗（第５の抵抗）
Ｌ・・・２線ケーブル
【図１】
2006135625.tif 000003
【図２】
2006135625.tif 000004